(57)【要約】【課題】端子挿入後に後から注入した液状の止水剤が端子の接点部まで侵入しないようにする。【解決手段】電線Ｗの先端に取り付けた端子２０をインナハウジング１０に収容し、インナハウジング１０を複数段に積層してアウタハウジング４０内に挿入し、その状態でインナハウジング１０の後端から後方へ延びる電線Ｗとアウタハウジング４０との隙間に、アウタハウジング４０の後端４４から液状の止水剤Ｓを注入して固化させることにより、アウタハウジング４０と電線Ｗとの隙間を封じてコネクタを防水化するコネクタの防水処理方法において、止水剤Ｓを注入する前に、アウタハウジング４０の後部空間４５内に位置する電線Ｗの外周に毛の付いた糸状体５０を巻き付けた上で、止水剤Ｓを注入する。【選択図】図４
2010108761.tif 000002
【特許請求の範囲】
【請求項１】
電線の先端に取り付けた端子をコネクタハウジングの後方から該コネクタハウジング内に挿入し、前記端子から後方に延びる前記電線と前記コネクタハウジングとの隙間に前記コネクタハウジングの後端から液状の止水剤を注入して固化させることにより、前記電線と前記コネクタハウジングとの隙間を封じてコネクタを防水化するコネクタの防水処理方法において、
前記止水剤を注入する前に、前記コネクタハウジングの後部空間内に位置する前記電線の外周に毛の付いた糸状体を巻き付けた上で、前記止水剤を注入することを特徴とするコネクタの防水処理方法。
【請求項２】
電線の先端に取り付けた端子をインナハウジングに収容し、該インナハウジングを複数段に積層してアウタハウジング内に挿入し、その状態で前記インナハウジングの後端から後方へ延びる前記電線と前記アウタハウジングとの隙間に、該アウタハウジングの後端から液状の止水剤を注入して固化させることにより、前記アウタハウジングと電線との隙間を封じてコネクタを防水化するコネクタの防水処理方法において、
前記止水剤を注入する前に、前記アウタハウジングの後部空間内に位置する前記電線の外周に毛の付いた糸状体を巻き付けた上で、前記止水剤を注入することを特徴とするコネクタの防水処理方法。
【請求項３】
請求項２に記載のコネクタの防水処理方法であって、
前記電線の先端に取り付けた端子をインナハウジングに収容した後、前記インナハウジングを複数段に積層してアウタハウジング内に挿入する前に、前記電線の外周に毛の付いた糸状体を巻き付けることを特徴とするコネクタの防水処理方法。
【請求項４】
請求項３に記載のコネクタの防水処理方法であって、
前記インナハウジングに横一列に端子収容室が設けられており、そのインナハウジングの各端子収容室にそれぞれ前記電線の先端に取り付けた端子を収容した後、収容された端子から後方に延びる全部の前記電線に前記毛の付いた糸状体を絡ませるように巻き付けることを特徴とするコネクタの防水処理方法。
【発明の詳細な説明】
【技術分野】
【０００１】
本発明は、コネクタの防水処理方法に関するものである。
【背景技術】
【０００２】
従来、電線の先端に取り付けた端子をコネクタハウジングに挿入した後、コネクタハウジングの後部に液状の止水剤を注入して固化させることにより、コネクタを防水化する防水処理方法が、例えば、特許文献１などにおいて知られている。
【特許文献１】特開２００４−３４９０７２号公報
【発明の開示】
【発明が解決しようとする課題】
【０００３】
しかし、従来の方法では、液状の止水剤を注入した際に端子の接点部まで止水剤が侵入することがあり、良好な電気接続ができなくなるおそれがあった。
【０００４】
本発明は、上記事情を考慮し、端子挿入後に後から注入した液状の止水剤が端子の接点部まで侵入しないようにすることができ、それにより電気接続の信頼性を高めることのできるコネクタの防水処理方法を提供することを目的とする。
【課題を解決するための手段】
【０００５】
請求項１の発明は、電線の先端に取り付けた端子をコネクタハウジングの後方から該コネクタハウジング内に挿入し、前記端子から後方に延びる前記電線と前記コネクタハウジングとの隙間に前記コネクタハウジングの後端から液状の止水剤を注入して固化させることにより、前記電線と前記コネクタハウジングとの隙間を封じてコネクタを防水化するコネクタの防水処理方法において、前記止水剤を注入する前に、前記コネクタハウジングの後部空間内に位置する前記電線の外周に毛の付いた糸状体を巻き付けた上で、前記止水剤を注入することを特徴とする。
【０００６】
請求項２の発明は、電線の先端に取り付けた端子をインナハウジングに収容し、該インナハウジングを複数段に積層してアウタハウジング内に挿入し、その状態で前記インナハウジングの後端から後方へ延びる前記電線と前記アウタハウジングとの隙間に、該アウタハウジングの後端から液状の止水剤を注入して固化させることにより、前記アウタハウジングと電線との隙間を封じてコネクタを防水化するコネクタの防水処理方法において、前記止水剤を注入する前に、前記アウタハウジングの後部空間内に位置する前記電線の外周に毛の付いた糸状体を巻き付けた上で、前記止水剤を注入することを特徴とする。
【０００７】
請求項３の発明は、請求項２に記載のコネクタの防水処理方法であって、前記電線の先端に取り付けた端子をインナハウジングに収容した後、前記インナハウジングを複数段に積層してアウタハウジング内に挿入する前に、前記電線の外周に毛の付いた糸状体を巻き付けることを特徴とする。
【０００８】
請求項４の発明は、請求項３に記載のコネクタの防水処理方法であって、前記インナハウジングに横一列に端子収容室が設けられており、そのインナハウジングの各端子収容室にそれぞれ前記電線の先端に取り付けた端子を収容した後、収容された端子から後方に延びる全部の前記電線に前記毛の付いた糸状体を絡ませるように巻き付けることを特徴とする。
【発明の効果】
【０００９】
請求項１の発明によれば、例えばコネクタハウジングの後部空間内に下向きに液状の止水剤を注入しても、電線の外周に巻き付けた糸状体の毛が、その撥液性によって止水剤をブロックするので、止水剤が端子の前側の接点部（相手端子と接続する部分）まで侵入しないようにすることができ、コネクタの電気接続の信頼性を高めることができる。
【００１０】
請求項２の発明によれば、例えばアウタハウジングの後部の注入空間に下向きに液状の止水剤を注入しても、電線の外周に巻き付けた糸状体の毛が、その撥液性によって止水剤をブロックするので、止水剤が端子の前側の接点部（相手端子と接続する部分）まで侵入しないようにすることができ、コネクタの電気接続の信頼性を高めることができる。
【００１１】
請求項３の発明によれば、インナハウジングに端子を挿入してから、インナハウジングをアウタハウジングに挿入するまでの間に、電線の外周に糸状体を巻き付けるので、ミシン等によって容易に糸状体を電線に巻き付けることができる。
【００１２】
請求項４の発明によれば、複数の電線の外周にミシン等によって容易に糸状体を巻き付けることができる。
【発明を実施するための最良の形態】
【００１３】
以下、本発明の実施形態を図面を参照して説明する。
【００１４】
図１はインナハウジングの各端子収容室に電線の先端に取り付けた端子を収容した状態を示す斜視図、図２は図１の工程の後に各電線の外周に毛の付いた糸状体を巻き付けた状態を示す斜視図、図３は図２の工程の後にインナハウジングを積層してアウタハウジングに挿入した状態を示す側断面図、図４は図３の工程の後にアウタハウジングの後部空間に止水剤を注入した状態を示す側断面図である。
【００１５】
このコネクタは、図３および図４に示すように、端子２０を収容した複数の合成樹脂製のインナハウジング（コネクタハウジング）１０を積層して合成樹脂製のアウタハウジング（コネクタハウジング）４０内に挿入することにより構成されるものである。
【００１６】
インナハウジング１０は、図１および図２に示すように、横一列に配列された複数の端子収容室１１を有している。各端子収容室１１は、インナハウジング１０の前後方向に直線的に延びており、開放した上面から、それぞれ電線Ｗの先端に取り付けた端子２０を挿入できるようになっている。
【００１７】
アウタハウジング４０は、角筒状の本体４１の外周に、相手コネクタハウジングの挿入空間４７を隔ててフード部４６を形成したもので、フード部４６内の角筒状の本体４１の外周には、相手コネクタハウジングとの隙間を封じるシール部材４８が取り付けられている。
【００１８】
角筒状の本体４１の内部空間４２は、所定個数のインナハウジング１０を積層状態で収容できる高さを有しており、その前端が相手端子差込孔４３ａを有する前端壁４３で塞がれ、後端４４がインナハウジング１０を挿入できるように開口している。そして、インナハウジング１０を所定位置まで挿入した状態で、アウタハウジング４０の内部に後部空間４５が確保されるようになっている。
【００１９】
次に、このコネクタの組立方法を説明する。本発明の実施形態のコネクタの防水処理方法は、この組立方法の中に組み込まれている。
【００２０】
まず、図１に示すように、電線Ｗの先端に取り付けた端子２０をインナハウジング１０の各端子収容室１１に収容する。次いで、図２に示すように、インナハウジング１０の後方に延びる全部の電線Ｗの外周に、毛の付いた糸状体５０を絡ませるように巻き付ける。
【００２１】
糸状体５０を巻き付ける位置は、図３に示すように、インナハウジング１０をアウタハウジング４０に収容した際に、アウタハウジング４０の後部空間４５の前端に近い位置であり、インナハウジング１０の後端の直後の位置とするのがよい。ここで用いる糸状体５０は、毛糸のようなものである。また、糸状体５０の巻き付けは、ミシン等で絡げるのが効率的である。
【００２２】
次に、図３に示すように、インナハウジング１０を複数個積層して、アウタハウジング４０内に挿入する。そして、その状態で、図４に示すように、アウタハウジング４０の後部空間４５内に液状の止水剤（シール材）Ｓを注入して固化させる。そうすることにより、インナハウジング１０の後端から後方へ延びる電線Ｗとアウタハウジング４０との隙間を止水剤Ｓで埋めることができ、コネクタを防水化することができる。
【００２３】
このように、毛の付いた糸状体５０を電線Ｗに巻き付けた上で止水剤Ｓを注入すると、下向きに止水剤Ｓを注入したとしても、糸状体５０の毛がその撥液性によって止水剤Ｓをブロックする。従って、止水剤Ｓが端子２０の前側の接点部（相手端子と接続する部分）まで侵入しないようにすることができ、コネクタの電気接続の信頼性を高めることができる。この場合、インナハウジング１０に端子２０を収容した状態で、複数の電線Ｗに糸状体５０をミシン等を用いて巻き付けるので、巻き付け作業を簡単に済ませることができる。
【００２４】
なお、上記実施形態では、アウタハウジング４０の内部に複数のインナハウジング１０を挿入することによってコネクタを構成する場合を説明したが、単純に１個のコネクタハウジングに電線の先端に取り付けた端子を挿入し、後から止水剤を注入して防水化するもの全てについて、本発明は適用することができる。
【図面の簡単な説明】
【００２５】
【図１】本発明の実施形態の最初の工程を示す図で、インナハウジングの各端子収容室に電線の先端に取り付けた端子を収容した状態を示す斜視図である。
【図２】図１の工程の次の工程を示す図で、各電線の外周に毛の付いた糸状体を巻き付けた状態を示す斜視図である。
【図３】図２の工程の次の工程を示す図で、インナハウジングを積層してアウタハウジングに挿入した状態を示す側断面図である。
【図４】図３の工程の次の工程を示す図で、にアウタハウジングの後部空間に止水剤を注入した状態を示す側断面図である。
【符号の説明】
【００２６】
Ｗ  電線
Ｓ  止水剤
１０  インナハウジング（コネクタハウジング）
１１  端子収容室
２０  端子
４０  アウタハウジング（コネクタハウジング）
４４  後端
４５  後部空間
５０  外周に毛の付いた糸状体
【図１】
2010108761.tif 000003
【図２】
2010108761.tif 000004
【図３】
2010108761.tif 000005
【図４】
2010108761.tif 000006